(57)【特許請求の範囲】
【請求項１】
袋状のトリムカバーに設けられた後方視認可能な開口部内に装填された状態で金型内に装着してヘッドレストを一体発泡成形するヘッドレスト成形用中子において、
前記開口部の壁面をなす前記トリムカバーの開口形成部内で、該開口形成部の湾曲部に向けて移動可能であると共に、湾曲状の押圧面が形成された駒型部と、
この駒型部を前記開口形成部の湾曲部に押圧した状態で保持する保持機構と、を備え、
前記駒型部は、対向して配置された第１の駒型部と第２の駒型部とを有し、第１の駒型部は、パイプ状の第１の支持部に、第２の駒型部は前記第１の支持部内に移動可能に挿入するパイプ状の第２の支持部に各々固定されていることを特徴とするヘッドレスト成形用中子。
【請求項２】
前記保持機構は、
前記第１の駒型部側に立設された係止ピンと、
前記係止ピンに摺接するカム面と、前記係止ピンに嵌合する係止凹部とが設けられ、前記第２の駒型部側で回転支持される回転カムと、を備えたことを特徴とする請求項１記載のヘッドレスト成形用中子。
【請求項３】
前記第１の駒型部に固定された第１の支持部に立設されると共に前記回転カムの回転軸をなす軸部と、前記第２の駒型部に固定された第２の支持部に立設された前記係止ピンとを引張りバネで連結したことを特徴とする請求項１又は２記載のヘッドレスト成形用中子。
【請求項４】
前記の開口形成部は、前記トリムカバーの前部の一部として帯状に形成された第１の開口形成半部と、前記トリムカバーの後部の一部として帯状に形成された第２の開口形成半部とで２分割され、重ね合わされる前記第１の開口形成半部の湾曲部と前記第２の開口形成半部の湾曲部との少なくとも一方には、湾曲形状の保形板が逢着され、前記第１の開口形成半部と前記第２の開口形成半部と前記保形板とを重ね合わせて前記開口部の前記壁部が形成されているヘッドレストにおいて、
前記の開口形成部に装填されることを特徴とする請求項１乃至３のいずれかの記載のヘッドレスト成形用中子。
【発明の詳細な説明】
【技術分野】
【０００１】
本発明は、後方視認可能な開口部が設けられたヘッドレストを成形するための中子に関するものである。
【背景技術】
【０００２】
後方視認可能な開口部が設けられたヘッドレストとして、特開平１０−１４６８４８号公報がある。この公報に記載されたヘッドレストには、後方視認可能な開口部(開窓部)が形成され、この開口部の壁面をなすトリムカバーの開口形成部は、トリムカバーの前部の一部として帯状に形成された第１の開口形成半部と、トリムカバーの後部の一部として帯状に形成された第２の開口形成半部とで２分割されている。そして、ヘッドレストの開口部の壁面では、第１の開口形成半部の端部と第２の開口形成半部の端部とが突き合わされてはいるが、端部間に隙間ができるので、ゴム性のベルトでこの隙間を塞ぎ、この隙間から発泡液が漏れ出すことを防いでいる。
【先行技術文献】
【特許文献】
【０００３】
【特許文献１】特開平１０−１４６８４８号公報
【発明の概要】
【発明が解決しようとする課題】
【０００４】
しかしながら、トリムカバーの開口形成部の壁面を成形時に押圧するために、開口部より僅かに大きな形状をした中子を、トリムカバーの外から開口部内に押し込むようにすると、前述した従来のヘッドレストの開口部の壁面は、湾曲部を有しているので、トリムカバーの開口成形部の湾曲部に皺が寄り易く、その結果、ヘッドレストの開口部の外観品質を劣化させる虞があるといった問題点があった。
【０００５】
本発明は、トリムカバーに設けられた開口部の壁部の湾曲部分に皺を寄り難くして、開口部の外観品質を向上させるようにしたヘッドレスト成形用中子を提供することを目的とする。
【課題を解決するための手段】
【０００６】
本発明は、一体発泡成形時に、袋状のトリムカバーに設けられた後方視認可能な開口部内に装填されるヘッドレスト成形用中子において、
前記開口部の壁面をなす前記トリムカバーの開口成形部内で、前記開口形成部の湾曲部に向けて移動可能であると共に、湾曲状の押圧面が形成された駒型部と、
前記駒型部を前記開口成形部の前記湾曲部に押圧した状態で保持する保持機構と、を備えた
ことを特徴とする。
【０００７】
このヘッドレスト成形用中子では、トリムカバーの開口形成部内にトリムカバーの外から開口部内に押し込むようにするのではなく、駒形部が、トリムカバーの開口成形部内で、開口形成部の湾曲部に向けて移動可能であるから、トリムカバーの開口成形部の湾曲部に駒型部の押圧面を確実に押し当てることができるので、湾曲部に皺が寄り難く、ヘッドレストの開口部の外観品質を向上させることができる。しかも、駒型部が移動する前の中子は、開口部内に装填し易いので、駒型部で開口形成部の湾曲部を無理に圧迫せずして、開口部内に中子をスムーズに入れることができる。従って、開口形成部の湾曲部の皺寄りを気にすることなく、開口部内に中子を装填する作業を行うことができるので、作業性をも向上させることができるといった優れた効果を有する。
【０００８】
また、前記駒型部は、対向して配置された第１の駒型部と第２の駒型部とを有し、
前記保持機構は、前記第１の駒型部側に立設された係止ピンと、前記係止ピンに摺接するカム面と、前記係止ピンに嵌合する係止凹部とが設けられ、前記第２の駒型部側で回転支持される回転カムと、を備えると好適である。
この保持機構の回転カムを回転させると、カム面に沿って係止ピンがスムーズに押されるので、第１の駒型部に対して第２の駒型部が離れる方向にスムーズに移動し、これによって第１の駒型部の押圧面及び第２の駒型部の押圧面が開口形成部の湾曲部に押し当てられる。そして、回転カムの係止凹部内に係止ピンが入り込んで中子がロックされると、第１の駒型部に第２の駒型部が近づく方向の移動が規制されるので、トリムカバー内に発泡液を注入しても、発泡液の圧力によって開口形成部の湾曲部が変形することがない。このような構成の保持機構は、操作や構造が簡単で作業性の向上に寄与している。
【０００９】
また、前記第１の駒型部に固定された第１の支持部に立設されると共に、前記回転カムの回転軸をなす軸部と、前記第２の駒型部に固定された第２の支持部に立設された前記係止ピンとを引張りバネで連結すると好適である。
このような構成は、係止ピン及び軸部を利用して引張りバネを取り付けているので構造が簡素化され、しかも、回転カムを回転させて係止ピンから係止凹部が外すだけで、引張りバネの付勢力により第１の駒型部に対し第２の駒型部を、作業者の手を煩わすことなく常に近づけておくことができる。従って、駒型部で開口形成部の湾曲部を無理に圧迫せずして、開口部内に中子をスムーズに入れることができる。更には、一体発泡成形後、回転カムを回転させるだけで中子のロックを解除でき、ヘッドレストの開口部から中子をスムーズに取り外すこともできる。
【００１０】
また、前記の開口形成部は、前記トリムカバーの前部の一部として帯状に形成された第１の開口形成半部と、前記トリムカバーの後部の一部として帯状に形成された第２の開口形成半部とで２分割され、重ね合わされる前記第１の開口形成半部の湾曲部と前記第２の開口形成半部の湾曲部との少なくとも一方には、湾曲形状の保形板が逢着され、前記第１の開口形成半部と前記第２の開口形成半部と前記保形板とを重ね合わせて前記開口部の前記壁部が形成されていると好適である。
このような構成のヘッドレストにおいては、第１の開口形成半部と第２の開口形成半部とが重ね合わされているので、第１の開口形成半部の端部と第２の開口形成半部の端部との間に隙間が発生することがなく、開口部の外観品質を向上させることができる。しかしながら、第１の開口形成半部と第２の開口形成半部とを単に重ね合わせて一体発泡成形しただけでは、開口部の壁部の湾曲部分に皺が寄り易い。そこで、本発明では、第１の開口形成半部の湾曲部と第２の開口形成半部の湾曲部との少なくとも一方に湾曲形状の保形板を逢着しておき、開口部の壁部の湾曲部分を予め所望の湾曲形状にしておくことで、一体発泡成形時に開口部の壁部の湾曲部分に皺が寄り難く、これによって、開口部の外観品質を更に向上させることができる。しかも、第１の開口形成半部の端部と第２の開口形成半部の端部との隙間のバラツキを気にすることなく型入れ作業を行うことができるので、作業性をも向上させることができる。
【発明の効果】
【００１１】
本発明は、袋状のトリムカバーに設けられた後方視認可能な開口部内に装填された状態で金型内に装着してヘッドレストを一体発泡成形するヘッドレスト成形用中子において、
前記開口部の壁面をなす前記トリムカバーの開口形成部内で、該開口形成部の湾曲部に向けて移動可能であると共に、湾曲状の押圧面が形成された駒型部と、
この駒型部を前記開口形成部の湾曲部に押圧した状態で保持する保持機構と、を備え、
前記駒型部は、対向して配置された第１の駒型部と第２の駒型部とを有し、第１の駒型部は、パイプ状の第１の支持部に、第２の駒型部は前記第１の支持部内に移動可能に挿入するパイプ状の第２の支持部に各々固定されていることを特徴とする。  
【図面の簡単な説明】
【００１２】
【図１】ヘッドレストの一例を示す斜視図である。
【図２】図１に示されたヘッドレストの断面図である。
【図３】開口部の湾曲部分の位置でヘッドレストを切断して示す要部拡大断面図である。
【図４】開口部の直線部分の位置でヘッドレストを切断して示す要部拡大断面図である。
【図５】開口部の直線部分に沿ってヘッドレストを切断して示す要部拡大断面図である。
【図６】本発明に係るヘッドレスト成形用中子の一実施形態を示す平面図である。
【図７】開口成形部内に中子を入れた状態を示す平面図である。
【発明を実施するための形態】
【００１３】
以下、図面を参照しつつ本発明に係るヘッドレスト成形用中子の好適な実施形態について詳細に説明する。
【００１４】
図１及び図２に示すように、一体発泡成形品としてのヘッドレストＨＲは、袋状のトリムカバー２と、このトリムカバー２内に注入された発泡液(例えば発泡性ウレタン)が硬化してなるパッド体３と、パッド体３内のヘッドレストフレーム４に固定されたヘッドレストステー５とからなる。
【００１５】
このトリムカバー２は、通気性がない合成皮からなる表皮と、表皮の裏面に固着されて、スラブウレタンフォーム材からなるワディングからなり、２層タイプのものが利用されている。
【００１６】
このヘッドレストＨＲは、格納状態すなわち最下位置の状態でシートバックＳＢの頂部６に当接する略水平で偏平な上部１０と、格納状態でシートバックＳＢの前面７に重なるように、前面７の傾斜と略同じ傾斜をもって上部１０から斜め下方に向かって延在する偏平な前側垂下部１１とを有している。
【００１７】
このような断面略逆Ｌ字状のヘッドレストＨＲでは、格納状態で、略水平なシートバックＳＢの頂部６に偏平な上部１０が密着する。これによって、ヘッドレストＨＲの格納状態でシートバックＳＢの頂部６から上部１０が突出する量を少なくできるので、運転者の後方視界の邪魔になり難く、しかも、シートバックＳＢの前倒状態において、シートクッションの先端からヘッドレストＨＲの上部１０が大きく飛び出さないようにでき、ヘッドレストＨＲが邪魔になり難い。
【００１８】
また、断面略逆Ｌ字状のヘッドレストＨＲでは、傾斜したシートバックＳＢの前面７に偏平な前側垂下部１１が密着する。これにより、ヘッドレストＨＲの格納状態にあっては、シートバックＳＢの前面７から前側垂下部１１が突出する量を少なくできるので、シートバックＳＢの前倒状態において、シートバックＳＢを略フラットな状態にし易い。
【００１９】
さらに、前側垂下部１１には、後方視認可能で且つ上下で並設された略同一形状の開口部１２が２個設けられている。そして、各開口部１２は、横長形状をなし、上下で対向する直線的で且つ平行なフラット面１２ａ,１２ｂと、左右対称な湾曲面１２ｃ,１２ｄとからなる。このように、開口部１２が横長で且つ上下で並設されることで、運転者の後方視界の確保がより良好なものになる。なお、上方の開口部１２と下方の開口部１２との間の変形を防止するために、この部分に、ヘッドレストフレーム４の横ビーム４ａが配置されている。
【００２０】
そして、この開口部１２の壁部は、トリムカバー２の一部をなす開口形成部１２Ａによって形成され、この開口形成部１２Ａは、トリムカバー２の前部２ａの一部として無端帯状に形成された第１の開口形成半部２１と、トリムカバー２の後部２ｂの一部として無端帯状に形成された第２の開口形成半部２２とで２分割されている。
【００２１】
そして、二点鎖線で示されるように、外側に露出している第１の開口形成半部２１及び第２の開口形成半部２２を内側に折り返すようにして、第１の開口形成半部２１と第２の開口形成半部２２とは、開口部１２内で重ね合わされている。
【００２２】
なお、第１の開口形成半部２１の端部は、開口部１２内に露出するので、折り返して縫合され、第２の開口形成半部２２の端部は、開口部１２内に露出しないので、折り返されていない。
【００２３】
図３及び図５に示すように、第１及び第２の開口形成半部２１,２２のうちで開口部１２の湾曲面１２ｃ,１２ｄを作り出す湾曲部２１ａ,２２ａには、湾曲(半円)形状の保形板２３,２４が逢着され、第１の開口形成半部２１と第２の開口形成半部２２と保形板２３,２４とを重ね合わせて開口部１２の壁部(開口形成部)１２Ａが形成されている。
【００２４】
そして、湾曲部２１ａ,２２ａにおいて、第１の開口形成半部２１の端部は、開口部１２内に露出するので、保形板２４を包み込むように折り返して縫合され、第２の開口形成半部２２の端部は、開口部１２内に露出しないので、折り返されることなく保形板２４が逢着されている。ここで利用される保形板２３,２４は、ポリプロピレンなどの熱変形し難い材質が好ましい。
【００２５】
これに対して、図４及び図５に示すように、第１及び第２の開口形成半部２１,２２のうちで開口部１２のフラット面１２ａ,１２ｂを作り出す直線部２１ｂ,２２ｂには、直線形状の保形板が逢着されておらず、第１の開口形成半部２１と第２の開口形成半部２２とを重ね合わせて開口部１２の壁部(開口形成部)１２Ａが形成されている。また、この直線部２１ｂ,２２ｂにおいて、第１の開口形成半部２１の端部は、開口部１２内に露出するので、単に折り返して縫合され、第２の開口形成半部２２の端部は、開口部１２内に露出しないので、折り返されていない。
【００２６】
そして、第１の開口形成半部２０と第２の開口形成半部２１とを重ね合わせた状態で、図６に示すような中子３０が開口部１２内に装填され、この状態でトリムカバー２を金型内に装着し、発泡液注入口から発泡液を注入して、ヘッドレストＨＲを一体発泡成形する。このとき、発泡液の熱により、湾曲部２１ａ,２２ａにおいて、第１の開口形成半部２１と第２の開口形成半部２２と保形板２３,２４とが熱融着されて固着され、直線部２１ｂ,２２ｂにおいて、第１の開口形成半部２１と第２の開口形成半部２２とが熱融着されて固着される。
【００２７】
次に、このような一体発泡成形に利用される中子３０について説明する。
【００２８】
図６に示すように、中子３０は、一対の第１及び第２の駒型部３１,３２を有し、各駒型部３１,３２は、開口形成部１２Ａの湾曲部２１ａ,２２ａに向けて移動可能である。そして、第１及び第２の駒型部３１,３２には、開口部１２の湾曲部分の形状に合致する湾曲(半円)形状の第１及び第２の押圧面３１ａ,３２ａが形成され、第１の押圧面３１ａと第２の押圧面３２ａとは、鏡面対称関係になっている。
【００２９】
第１の駒型部３１の端部には、パイプ状の第１の支持部３３の一端部が固定され、第２の駒型部３２の端部には、パイプ状の第２の支持部３４の一端部が固定され、第１の支持部３３の他端側から第２の支持部３４が挿入され、第１の支持部３３と第２の支持部３４とは一直線上に配置されている。
【００３０】
さらに、中子３０には、第１及び第２の駒型部３１,３２の第１及び第２の押圧面３１ａ,３２ａを開口形成部１２Ａの湾曲部２１ａ,２２ａに押圧した状態で保持するための保持機構Ｈが設けられている。
【００３１】
この保持機構Ｈは、第１の支持部３３の略中央には立設された軸部３３ａを中心に回転する回転カム３６と、第２の支持部３４の遊端に立設された係止ピン３４ａとで構成されている。そして、この係止ピン３４ａは、第１の支持部３３に形成された長穴３３ｂから外部に露出され、軸部３３ａと係止ピン３４ａとは、互いに対向して配置されている。
【００３２】
更に、回転軸をなす軸部３３ａには、回転カム３６が回転自在に取り付けられ、この回転カム３６の頂部には、円弧状の係止凹部３６ａが形成されている。そして、引張りバネ３７の一端が軸部３３ａに固定され、引張りバネ３７の他端が係止ピン３４ａに固定されているので、係止ピン３４ａを、回転カム３６の回転半径内に常に位置させることができ、回転カム３６の回転時に、カム面３６ｂを係止ピン３４ａに摺接させることができる。
【００３３】
このような構成の中子３０では、トリムカバー２の開口形成部１２Ａ内にトリムカバー２の外から開口部１２内に押し込むようにするのではなく、第１及び第２の駒型部３１,３２が、トリムカバー２の開口成形部１２Ａ内で、開口形成部１２Ａの湾曲部２１ａ,２２ａに向けて移動可能であるから、トリムカバー２の開口成形部１２Ａの湾曲部２１ａ,２２ａに駒型部３１,３２の押圧面３１ａ,３２ａを確実に押し当てることができるので、湾曲部２１ａ,２２ａに皺が寄り難く、ヘッドレスト１の開口部１２の外観品質を向上させることができる。
【００３４】
しかも、図７(ａ)に示すように、第１及び第２の駒型部３１,３２が移動する前の中子３０は、回転カム３６の係止凹部３６ａ内に係止ピン３４ａが入り込んでいないロック解除状態なので、引張りバネ３７により第１の駒型部３１に対し第２の駒型部３２が、常時近づいており、第１及び第２の駒型部３１,３２で開口形成部１２Ａの湾曲部２１ａ,２２ａを無理に圧迫せずして、開口部１２内に中子３０をスムーズに入れることができる。よって、開口形成部１２Ａの湾曲部２１ａ,２２ａの皺寄りを気にすることなく、開口部１２内に中子３０を装填する作業を行うことができるので、作業性を向上させることができるといった優れた効果を有する。
【００３５】
また、図７(ｂ)に示すように、前述した保持機構Ｈの回転カムを回転させると、カム面３６ｂに沿って係止ピン３４ａがスムーズに押されるので、第１の駒型部３１に対して第２の駒型部３２が離れる方向にスムーズに移動し、これによって第１の駒型部３１の押圧面３１ａ及び第２の駒型部３２の押圧面３２ａが開口形成部１２Ａの湾曲部２１ａ,２２ａに押し当てられる。
【００３６】
そして、回転カム３６の係止凹部３６ａ内に係止ピン３４ａが入り込んだロック状態では、第１の駒型部３１に第２の駒型部３２が近づく方向の移動が規制されるので、トリムカバー２内に発泡液を注入しても、発泡液の圧力によって開口形成部１２Ａの湾曲部２１ａ,２２ａが変形することがない。このような構成の保持機構Ｈは、操作や構造が簡単で作業性の向上に寄与している。
【００３７】
また、係止ピン３４ａ及び軸部３３ａを利用して引張りバネ３７を取り付けているので構造が簡素化される。しかも、回転カム３６を回転させて係止ピン３４ａから係止凹部３６ａを外すだけで、引張りバネ３７の付勢力により第１の駒型部３１に対し第２の駒型部３２が、作業者の手を煩わすことなく自動的に近づくので、一体発泡成形後、ヘッドレスト１の開口部１２から中子３０をスムーズに取り外すことができる。
【００３８】
このようなヘッドレストＨＲにおいては、第１の開口形成半部２１と第２の開口形成半部２２とが重ね合わされているので、第１の開口形成半部２１の端部と第２の開口形成半部２２の端部との間に隙間が発生することがなく、開口部１２の外観品質を向上させることができる。
【００３９】
しかしながら、第１の開口形成半部２１と第２の開口形成半部２２とを単に重ね合わせて一体発泡成形しただけでは、開口部１２の壁部の湾曲部分に皺が寄り易い。そこで、第１の開口形成半部２１の湾曲部２１ａと第２の開口形成半部２２の湾曲部２２ａとのいずれにも湾曲形状の保形板２３,２４を逢着しておき、開口部１２の壁部の湾曲部分を予め所望の湾曲形状にしておくことで、一体発泡成形時に開口部１２の壁部の湾曲部分に皺が寄り難く、これによって、開口部１２の外観品質を更に向上させることができる。
【００４０】
しかも、第１の開口形成半部２１の端部と第２の開口形成半部２２の端部との隙間のバラツキを気にすることなく型入れ作業を行うことができるので、作業性をも向上させることができる。
【００４１】
また、保形板２３,２４を薄くした場合、発泡圧によって保形板２３,２４が変形する虞があるので、中子３０によってその変形を効果的に抑制することができる。
【００４２】
本発明は、前述した実施形態に限定されないことは言うまでもない。例えば、上型を被せると、自動的に第１及び第２の駒型部３１,３２の第１及び第２の押圧面３１ａ,３２ａが開口形成部１２Ａの湾曲部２１ａ,２２ａに向けて移動するように構成してもよい。
【００４３】
また、保形板は、第１及び第２の開口形成半部２１,２２のうちの少なくともいずれか一方に逢着されていればよい。
【００４４】
また、前述した開口部１２は、単数又は複数のいずれでも良く、その形状は、楕円、丸など曲線を含む形状であればよい。
【００４５】
また、表皮とワディングとワディングの裏面に接着した非通気性フィルム(ポリウレタンフィルム、ポリエチレンフィルムなど)とからなる３層タイプのトリムカバーの適用も可能である。
【符号の説明】
【００４６】
ＨＲ…ヘッドレスト、Ｈ…保持機構、２…トリムカバー、２ａ…トリムカバーの前部、２ｂ…トリムカバーの後部、１２…開口部、１２Ａ…開口形成部、２１…第１の開口形成半部、２１ａ,２２ａ…湾曲部、２２…第２の開口形成半部、２３,２４…保形板、３０…中子、３１…第１の駒型部、３２…第２の駒形部、３１ａ,３２ａ…押圧面、３３…第１の支持部、３３ａ…軸部、３４…第２の支持部、３４ａ…係止ピン、３６…回転カム、３６ａ…係止凹部、３６ｂ…カム面、３７…引張りバネ。
【図１】
0005395645.tif 000002
【図２】
0005395645.tif 000003
【図３】
0005395645.tif 000004
【図４】
0005395645.tif 000005
【図５】
0005395645.tif 000006
【図６】
0005395645.tif 000007
【図７】
0005395645.tif 000008